(57)【要約】      （修正有）【課題】大量生産に向いたバイオセンサの製造を目的とし、電極が基板の内側に配置されるように一枚の平面基板を立体的に加工し、小型化されたバイオセンサを提供する。またこの技術の延長としてＤＮＡチップを提供する。【解決手段】このセンサは一方の端が貼り合せ構造または筒状の試料液導入部、もう一方の端が電極端子の測定器への接続部から成る。試料液は毛細管現象によって試料導入口、試料搬送路より移送され、センサの貼り合せ内部部分または筒状部分が試料液で満たされる。バイオセンサの製造方法は、電気絶縁性の板部材の表面に形成された電極が内側になるように該板部材を折り曲げて、前記電極を前記基板と前記カバーとに挟まれた空間に配置し、１枚の板部材から基板とカバーとを形成する工程を含む。【選択図】なし【特許請求の範囲】
【請求項１】
一枚の電気絶縁性の平面基板を折り加工または曲げ加工または折り曲げ加工することにより製造されるバイオセンサ。
【請求項２】
基板とカバーとに挟まれた空間に設置された電極と、前記空間に試料を注入するための試料導入口と、前記試料導入口より前記電極を通って延びる試料搬送路とを備えたバイオセンサであって、
前記基板とカバーとが一枚の電気絶縁性の板部材を折り曲げることにより形成され、
前記電極は、前記板部材の表面に形成され、該表面が内側になるように折り曲げられることにより前記基板と前記カバーとに挟まれた空間に配置され、
前記試料搬送路は、前記板部材の表面に設けられ前記基板と前記カバーとを対向配置させるための接着剤層により規定された、バイオセンサ。
【請求項３】
前記板部材の折り曲げられる折曲げ部にミシン目が形成された、請求項２記載のバイオセンサ。
【請求項４】
一枚の電気絶縁性の板部材を筒状構造に曲げ加工して形成されたセンサ本体と、
センサ本体の内壁に形成された電極と、
前記筒の一端または側面に形成された試料導入口と、
前記試料導入口より前記電極を通って延びる試料搬送路とを備えたバイオセンサ。
【請求項５】
筒状構造が円柱、楕円柱、半円柱、扇柱、三日月柱、三角柱、四角柱、または多角柱である、請求項４記載のバイオセンサ。
【請求項６】
前記電極がレジスト層により規定されている、請求項２乃至５のいずれかに記載のバイオセンサ。
【請求項７】
前記試料搬送路が通過する電極上に試薬層が設けられた、請求項２乃至６のいずれかに記載のバイオセンサ。
【請求項８】
前記試料搬送路が通過するカバー上に試薬層が設けられた、請求項２乃至６のいずれかに記載のバイオセンサ。
【請求項９】
試料導入口は試料搬送路の一端または中間地点に形成される、請求項２乃至８に記載のバイオセンサ。
【請求項１０】
試料導入口の周辺、試料搬送路表面および試薬層もしくはその周囲に界面活性剤および／または脂質が塗布された、請求項２乃至９のいずれかに記載のバイオセンサ。
【請求項１１】
前記脂質がレシチンである、請求項１０記載のバイオセンサ。
【請求項１２】
試料導入口の先端部が曲線部を持つ構造である請求項２乃至１１のいずれかに記載のバイオセンサ。
【請求項１３】
板部材がプラスチック、生分解性材料、紙のいずれかからなる、請求項２乃至１２のいずれかに記載のバイオセンサ。
【請求項１４】
プラスチックがポリエチレンテレフタレートである、請求項１３記載のバイオセンサ。
【請求項１５】
電極がカーボン、銀、銀／塩化銀、白金、金、ニッケル、銅、パラジウム、チタン、イリジウム、鉛、酸化錫、白金黒のいずれかからなる請求項２乃至１４のいずれかに記載のバイオセンサ。
【請求項１６】
電極がニッケルからなる、請求項１５記載のバイオセンサ。
【請求項１７】
カーボンがカーボンナノチューブ、カーボンマイクロコイル、カーボンナノホーン、フラーレン、デンドリマーもしくはそれらの誘導体のいずれかから選択される、請求項１５記載のバイオセンサ。
【請求項１８】
電極がスクリーン印刷法、蒸着法、スパッタリング法、箔貼り付け法、メッキ法のいずれかにより板部材に形成される、請求項２乃至１７のいずれかに記載のバイオセンサ。
【請求項１９】
接着剤層がスクリーン印刷法により形成される、請求項２乃至１８のいずれかに記載のバイオセンサ。
【請求項２０】
接着剤層中に試薬が含まれる、請求項２乃至１７のいずれかに記載のバイオセンサ。
【請求項２１】
前記レジスト層がスクリーン印刷法により形成される、請求項６記載のバイオセンサ。
【請求項２２】
前記試薬層が、精製されて形成されたものである、請求項７記載のバイオセンサ。
【請求項２３】
試薬層がスクリーン印刷法またはデスペンサー法により形成される、請求項７乃至２２のいずれかに記載のバイオセンサ。
【請求項２４】
試薬層が乾燥を伴う吸着法または共有結合法により電極表面、板部材表面またはもしくはカバーに固定化された、請求項７乃至２３のいずれかに記載のバイオセンサ。
【請求項２５】
異なる試薬層が２種以上設けられた、請求項７乃至２４のいずれかに記載のバイオセンサ。
【請求項２６】
異なる試薬層間に凸状の間仕切り部が備えられた、請求項２５記載のバイオセンサ。
【請求項２７】
凸状の間仕切り部がスクリーン印刷法で形成される、請求項２６記載のバイオセンサ。
【請求項２８】
凸部の間仕切り部がカーボン、レジストまたは吸水性材料のいずれかからなる、請求項２７記載のバイオセンサ。
【請求項２９】
試薬層が酵素、抗体、核酸、プライマー、ペプチド核酸、核酸プローブ、微生物、オルガネラ、レセプタ、細胞組織、クラウンエーテルなどの分子識別素子、メデイエータ、挿入剤、補酵素、抗体標識物質、基質、無機塩類、界面活性剤、脂質のいずれかまたはその組み合わせを含む、請求項７乃至２８のいずれかに記載のバイオセンサ。
【請求項３０】
酵素がオキシダーゼ又はデヒドロゲナーゼなどの酵素、例えばグルコースオキシダーゼ、フルクトシルアミンオキシダーゼ、乳酸オキシダーゼ、尿酸オキシダーゼ、コレステロールオキシダーゼ、アルコールオキシダーゼ、グルタミン酸オキシダーゼ、ピルビン酸オキシダーゼ、グルコースデヒドロゲナーゼ、乳酸デヒドロゲナーゼ、アルコールデヒドロゲナーゼ、他にコレステロールエステラーゼ、プロテアーゼ、ＤＮＡポリメラーゼのいずれかまたはその組合せである、請求項２９記載のバイオセンサ。
【請求項３１】
試薬層が酵素とメデイエータの組合わせを含む、請求項７乃至３０のいずれかに記載のバイオセンサ。
【請求項３２】
メデイエータがフェリシアン化カリウム、フェロセン、ベンゾキノンから選択される、請求項３１記載のバイオセンサ。
【請求項３３】
試薬層が塩化ナトリウム、塩化カリウムなどの無機塩類とキンヒドロンとの組合せを含む、請求項７乃至３２のいずれかに記載のバイオセンサ。
【請求項３４】
試薬層がプライマー、ＤＮＡポリメラーゼ、デオキシリボヌクレオチド三リン酸の組合せを含む、請求項７乃至３３のいずれかに記載のバイオセンサ。
【請求項３５】
試薬層が塩化ナトリウム、塩化カリウムなどの無機塩類とキンヒドロン、プライマー、ＤＮＡポリメラーゼ、デオキシリボヌクレオチド三リン酸との組合せを含む、請求項７乃至３４のいずれかに記載のバイオセンサ。
【請求項３６】
試薬層として核酸プローブが固定化された請求項７記載のバイオセンサ。
【請求項３７】
電極がアレイを形成している請求項３６記載のバイオセンサ。
【請求項３８】
請求項１乃至３７のいずれかに記載のバイオセンサと、
前記バイオセンサの電極における電気的な値を計測する計測部と、
前記計測部における計測値を表示する表示部と、
前記計測値を保存するメモリー部とを備えたバイオセンサ装置。
【請求項３９】
前記計測部における計測方法としてポテンシャルステップクロノアンペロメトリー法、クーロメトリー法、サイクリックボルタンメトリー法のいずれかが用いられる、請求項３８記載のバイオセンサ装置。
【請求項４０】
さらに無線手段としてブルートゥースが搭載された、請求項３８または３９記載のバイオセンサ装置。
【請求項４１】
請求項１〜３７のいずれかに記載のバイオセンサを乾燥剤とともに保存する、バイオセンサの保存方法。
【請求項４２】
基板とカバーとに挟まれた空間に、電極と、前記空間に試料を注入するための試料導入口と、前記試料導入口より前記電極を通って延びる試料搬送路とを備え、該試料搬送路は、前記基板と前記カバーとを対向配置させるための接着剤層で規定されているバイオセンサの製造方法であって、下記の板部材の折り曲げ工程を含む方法；
電気絶縁性の板部材の表面に形成された電極が内側になるように該板部材を折り曲げて、前記電極を前記基板と前記カバーとに挟まれた空間に配置する、１枚の板部材から基板とカバーとを形成する工程。
【請求項４３】
前記折り曲げ工程、および、
板部材を折り曲げた部位となる折部を切断する工程を含む、請求項４２に記載のバイオセンサの製造方法。
【請求項４４】
前記折部の切断をミシン目に沿って行う、請求項４３に記載の方法。
【請求項４５】
前記板部材の折り曲げ工程、および、
基板又はカバーの圧縮、変性加工、折部への硬化剤もしくは熱収縮剤の塗布、または固定具の装着により、基板とカバーとを固定化する工程
を含む、請求項４２に記載のバイオセンサの製造方法。
【請求項４６】
前記圧縮が、前記バイオセンサの少なくとも一部を圧着する方法である、請求項４５に記載の方法。
【請求項４７】
前記変性加工が、前記バイオセンサの折部もしくは折部とその周囲、またはバイオセンサの他の一部を加熱または熱圧着する方法である、請求項４５に記載の方法。
【請求項４８】
前記バイオセンサの接着剤層が熱硬化性樹脂を含み、前記変性加工が、前記バイオセンサの折部もしくは折部とその周囲、またはバイオセンサの他の一部を加熱または熱圧着して、前記接着剤層の全部又は一部を硬化させる方法である、請求項４５に記載の方法。
【請求項４９】
前記バイオセンサの板部材が光透過性の材料からなり、前記接着剤層が光硬化性樹脂を含み、前記変性加工が、該バイオセンサに光を照射して、前記接着剤層を硬化させる方法である、請求項４５に記載の方法。
【請求項５０】
前記バイオセンサの板部材が熱硬化性樹脂を含み、前記変性加工が、該板部材の全部又は一部を加熱して、該板部材の全部又は一部を硬化させる方法である、請求項４５に記載の方法。
【請求項５１】
前記バイオセンサの板部材が光硬化性樹脂を含み、前記変性加工が、該板部材を光照射して該板部材を硬化させる方法である、請求項４５に記載の方法。
【請求項５２】
前記変性加工が、バイオセンサの折部または折り部とその周囲の表面に溶媒を塗布して該折部に溶媒を滲入させる方法である、請求項４５に記載の方法。
【請求項５３】
前記硬化剤の塗布が、前記バイオセンサの折部、または折部とその周囲に、熱硬化性樹脂を塗布し、さらに該熱硬化性樹脂を加熱して、該熱硬化性樹脂を硬化させる方法である、請求項４５に記載の方法。
【請求項５４】
前記硬化剤の塗布が、前記バイオセンサの折部、または折部とその周囲に、光硬化性樹脂を塗布し、さらに該光硬化性樹脂を光照射して、該光硬化性樹脂を硬化させる方法である、請求項４５に記載の方法。
【請求項５５】
前記熱収縮剤の塗布が、前記バイオセンサの折部、または折部とその周囲に、熱収縮剤を塗布し、さらに該熱収縮剤を加熱して、該熱収縮剤を半硬化させる方法である、請求項４５に記載の方法。
【請求項５６】
前記固定具の装着が、挟み加工、囲み加工、キャップ（蓋）の装着、弾性体による締め付け具の装着、熱収縮剤による加工、粘着テープの装着である、請求項４５に記載の方法。
【請求項５７】
請求項２に記載のバイオセンサが、請求項４３または４４に記載の方法により折部が切断されていることを特徴とする、請求項２に記載のバイオセンサ。
【請求項５８】
請求項２に記載のバイオセンサが、請求項４５〜５５のいずれかに記載の方法により固定化処理されていることを特徴とする、請求項２に記載のバイオセンサ。
【請求項５９】
請求項２に記載のバイオセンサが、基板とカバーとの反り返りを防止する固定具を有することを特徴とする、請求項２に記載のバイオセンサ。
【発明の詳細な説明】
【技術分野】
【０００１】
本発明は、バイオセンサに関する。さらに詳しくは、各種液体の成分濃度を、酵素などを利用して電気化学的に測定する、家庭内自己診断用の血糖計、尿糖計、糖化ヘモグロビン計、乳酸計、コレステロール計、尿酸計、タンパク質計、一塩基多型センサ、遺伝子診断に用いられるＤＮＡチップ、他にアルコール計、グルタミン酸計、ピルビン酸計、ｐＨ計などに用いられるバイオセンサに関する。また、本発明は、折り曲げ工程を有するバイオセンサの製造方法に関する。さらに詳しくは、好ましくは、折り曲げ工程及び切断工程、または折り曲げ工程および固定化工程を含む製造方法に関する。
【背景技術】
【０００２】
従来、使い捨て型のセンサ（特許文献１；特開昭４７−５００、特許文献３；特開昭５２−１４２５８４）としては定量性を確保するために立体構造をとり、さらに毛細管現象（特許文献５；特開昭５６−７９２４２、特許文献６；特表昭６１−５０２４１９）などを利用して試料液が自動的にセンサの内部に導入する仕組みが知られている（図１、特許文献７；特開平１−２９１１５３）。このような構成のセンサは、電気絶縁性の基板１上に、スペーサ２、更にカバー３を積層して組み立てられる。基板上には電極パターン４、カバー上には毛細管現象に必要な空気が抜けるために必要な空気孔５が開けられている。基板、スペーサ、カバーにより検出部に一定量の試料液６を毛細管現象により導入するための、片方に空気孔５を備えた試料導入口７、試料搬送路８が形成される。また、これらの構成部品は各々所定の形状に予め打ち抜いておく必要があり、立体加工における各部品の正確な重ねあわせのための位置決めも必要となるため、構成部品の数が増えるに従って立体加工の工程が複雑になる。さらに、これらのセンサに分子識別素子やメデイエータなどの試薬の塗布（特許文献２；特開昭４８−３７１８７、特許文献４；特開昭５４−５０３９６）や妨害物質の影響から回避するための膜（特許文献８；特開平３−２０２７６４）の形成などを必要とする場合は、さらに複雑な工程となる。
【特許文献１】特開昭４７−５００・マイルス・使い捨てセンサ、乾燥試薬
【特許文献２】特開昭４８−３７１８７・ロッシュ・酵素、メデイエータ
【特許文献３】特開昭５２−１４２５８４・コダック・使い捨てセンサ
【特許文献４】特開昭５４−５０３９６・松下・酵素、メデイエータ
【特許文献５】特開昭５６−７９２４２・ユナイテッド・毛細管
【特許文献６】特表昭６１−５０２４１９・ユニリーバー・毛細管
【特許文献７】特開平１−２９１１５３・松下・基本構造、試料導入口、多項目測定センサ
【特許文献８】特開平３−２０２７６４・松下・基本構造、血球ろ過膜
【特許文献９】特開平５−１９９８９８・東芝・ＤＮＡチップ
【特許文献１０】特開平９−２２２４１４・エヌオーケー・ｐＨセンサ
【特許文献１１】特開２００１−２０４４９４・糖化ヘモグロビンセンサ
【特許文献１２】ＷＯ  ０１／３３２１６  Ａ１・セラセンス・対面電極、試料導入口
【特許文献１３】ＵＳ  ４２２５４１０・テクニコン・アレイ電極
【特許文献１４】ＵＳ  ５６５３８６４・エヌオーケー・タンパク質センサ
【特許文献１５】ＵＳ  ６０７１３９１・エヌオーケー・試料導入口、対面電極
【非特許文献１】A.Ahmadian  et  al.,Biotechniques,32,748(2002)・ＳＮＰｓ
【発明の開示】
【発明が解決しようとする課題】
【０００３】
上述した従来のセンサは製造に多くの工程、材料を要し、複雑な構造をとらざるを得なかった。その結果として、製造ラインに多大な設備投資を必要とし、また製品の歩留まりも充分ではなく、コスト的に負担が大きかった。当然、材料調達時、製造時の環境負荷も大きいものであった。さらに特性上では複雑な工程（特に基板積層時の位置合わせなど）のため、製造されたセンサ特性のばらつきの指標である変動係数（CV）も充分ではなかった。また、バイオセンサの形状変化は測定の精度や再現性の低下を招くため、該バイオセンサにおいて、製造後、カバー等の反り返りなどが発生しない、長期形状安定性を確保することが求められていた。
【課題を解決するための手段】
【０００４】
上記課題を解決するために、本発明は、一枚の電気絶縁性の平面基板を折り加工または曲げ加工または折り曲げ加工することにより製造されるバイオセンサを提供する。
【０００５】
バイオセンサ
本発明のバイオセンサは、基板とカバーとに挟まれた空間に設置された電極と、前記空間に試料を注入するための試料導入口と、前記試料導入口より前記電極を通って延びる試料搬送路と、を備えたバイオセンサであって、前記基板とカバーとが一枚の電気絶縁性の板部材を折り曲げることにより形成され、前記電極は、前記板部材の表面に固定され、該表面が内側になるように折り曲げられることにより前記基板と前記カバーとに挟まれた空間に配置され、前記試料搬送路は、前記板部材の表面に設けられ前記基板と前記カバーとを対向配置させるための接着剤層により規定されている。
【０００６】
上記発明によれば、一枚の電気絶縁性の板部材の表面に電極と、接着剤層を形成し、これを折り曲げることにより簡易にバイオセンサを製造することが可能となる。
【０００７】
上記において、よりバイオセンサを簡易に製造するために、前記板部材の折り曲げられる折曲げ部にミシン目を形成することができる。
【０００８】
また、本発明のバイオセンサは、一枚の電気絶縁性の板部材を筒状構造に曲げ加工して形成されたセンサ本体と、センサ本体の内壁に配置された電極と、前記筒の一端または側面に形成された試料導入口と、前記試料導入口より前記電極を通って延びる試料搬送路と、が備えられている。上記筒状構造が円柱、楕円柱、半円柱、扇柱、三日月柱、三角柱、四角柱、または多角柱である。
【０００９】
上記発明によれば、一枚の電気絶縁性の板部材の表面に電極を固定し、これを筒状に加工することにより、試料搬送路を備えた筒型のバイオセンサを製造することができる。
【００１０】
また、本発明は、さらに試料搬送路が通過する電極上またはカバー上に試薬層が設けられたバイオセンサを提供する。本発明によれば、試料搬送路から送り込まれる試料が電極上またはカバー上の試薬層と接触することにより、試薬と試料とが反応する。この反応は電極における電気的な変化としてモニタされる。
【００１１】
上記試料導入口は試料搬送路に試料を注入できる位置であれば、試料搬送路の一端であっても中間地点であってもよい。
【００１２】
上記発明において、試料導入口の周辺、試料搬送路表面、および試薬層もしくはその周囲に界面活性剤および／または脂質を塗布することもできる。界面活性剤や脂質を塗布することにより、試料の移動を円滑にさせることが可能となる。前記脂質としては、レシチンが好ましい。脂質の塗布においては、脂質を溶剤に溶解させて行うことが好ましく、レシチンを用いる場合、溶剤としては２−ブタノールが好ましい。また、試料導入口の先端部は曲線部を持つ構造とすることができる。
【００１３】
上記板部材は電気絶縁性であればプラスチック、生分解性材料、紙のいずれかから選択することができる。プラスチックの好適な例としてポリエチレンテレフタレートが挙げられる。
【００１４】
電極はカーボン、銀、銀／塩化銀、白金、金、ニッケル、銅、パラジウム、チタン、イリジウム、鉛、酸化錫、白金黒のいずれかから構成することができる。また、カーボンはカーボンナノチューブ、カーボンマイクロコイル、カーボンナノホーン、フラーレン、デンドリマーもしくはそれらの誘導体も用いることができる。こうした電極はスクリーン印刷法、蒸着法、スパッタリング法、箔貼り付け法、メッキ法のいずれかにより板部材に形成することができる。
【００１５】
前記電極は、レジスト層により規定されていてもよい。レジスト層はスクリーン印刷法などにより形成することができる。
【００１６】
上記接着剤層も、スクリーン印刷法により形成することができる。また、接着剤層中に試薬を含有させてもよい。接着剤としては、たとえば、アクリル系樹脂が好ましく、これらのうちではより好ましくは熱硬化性樹脂または光硬化性樹脂であり、さらに好ましくは可視光硬化性アクリル樹脂である。
【００１７】
試薬層は、スクリーン印刷法またはデスペンサー法により形成され、この試薬層の電極表面、板部材表面、またはカバーへの固定化は、乾燥を伴う吸着法または共有結合法により行うことができる。
試薬層は、形成前に、精製して形成することが好ましい。精製方法としては、膜などによる濾過などの方法が挙げられる。精製することにより不純物を取り除く。
【００１８】
試薬層は一箇所に限らず、二箇所以上設置することができ、その際には２種類以上の異種の試薬層を設けてもよい。また、２箇所以上の試薬層を設けた場合にはこれらの間に凸状の間仕切り部を備えることもできる。そして、この凸状の間仕切り部はスクリーン印刷法で形成することができる。この凸部の間仕切り部はカーボン、レジストまたは吸水性材料のいずれかから構成することができる。
【００１９】
上記試薬層は、酵素、抗体、核酸、プライマー、ペプチド核酸、核酸プローブ、微生物、オルガネラ、レセプタ、細胞組織、クラウンエーテルなどの分子識別素子、メデイエータ、挿入剤、補酵素、抗体標識物質、基質、無機塩類、界面活性剤、脂質のいずれかまたはその組み合わせを含有させることができる。さらに、上記酵素としては、オキシダーゼ又はデヒドロゲナーゼなどの酵素、例えばグルコースオキシダーゼ、フルクトシルアミンオキシダーゼ、乳酸オキシダーゼ、尿酸オキシダーゼ、コレステロールオキシダーゼ、アルコールオキシダーゼ、グルタミン酸オキシダーゼ、ピルビン酸オキシダーゼ、グルコースデヒドロゲナーゼ、乳酸デヒドロゲナーゼ、アルコールデヒドロゲナーゼ、他にコレステロールエステラーゼ、プロテアーゼ、ＤＮＡポリメラーゼのいずれかまたはその組合せを用いることができる。
【００２０】
また、試薬層は、酵素単独ではなく、メデイエータの組合わせとして含有させてもよい。このメデイエータとしてはフェリシアン化カリウム、フェロセン、ベンゾキノンから選択される。また、試薬層は塩化ナトリウム、塩化カリウムなどの無機塩類とキンヒドロンとの組合せを含有させてもよい。
【００２１】
試薬層にはプライマー、ＤＮＡポリメラーゼ、デオキシリボヌクレオチド三リン酸の組合せを含有させることもできる。さらに、試薬層にはプライマー、ＤＮＡポリメラーゼ、デオキシリボヌクレオチド三リン酸に、塩化ナトリウム、塩化カリウムなどの無機塩類とキンヒドロンを組合せて含有させることもできる。
【００２２】
バイオセンサをDNAチップとして用いる場合には試料層として核酸プローブを固定化することができる。この場合には電極をアレイ状に配置させることが好適である。
【００２３】
本発明は上記本発明のバイオセンサのいずれかと、前記バイオセンサの電極における電気的な値を計測する計測部と、前記計測部における計測値を表示する表示部と、を備えたバイオセンサ装置に関する。この計測部における計測方法としてポテンシャルステップクロノアンペロメトリー法、クーロメトリー法、サイクリックボルタンメトリー法のいずれかが用いられる。さらに本装置に無線手段としてブルートゥースを搭載することもできる。
【００２４】
バイオセンサの製造方法
本発明に係るバイオセンサの製造方法は、基板とカバーとに挟まれた空間に、電極と、前記空間に試料を注入するための試料導入口と、前記試料導入口より前記電極を通って延びる試料搬送路とを備え、該試料搬送路は、前記基板と前記カバーとを対向配置させるための接着剤層で規定されているバイオセンサの製造方法であって、下記の板部材の折り曲げ工程を含む方法であることを特徴とする；
電気絶縁性の板部材の表面に形成された電極が内側になるように該板部材を折り曲げて、前記電極を前記基板と前記カバーとに挟まれた空間に配置する、１枚の板部材から基板とカバーとを形成する工程。
【００２５】
このような製造方法によれば、簡易にバイオセンサを製造することができる。なお電極および接着剤層（試料搬送路）の形成方法は前述の通りである。
【００２６】
また、本発明に係るバイオセンサの製造方法は、前記折り曲げ工程、および、板部材を折り曲げた部位となる折部を切断する工程（切断工程）を含むことができる。
【００２７】
明細書中、「折部」とは、板部材の折り曲げられた部位を意味する。
このように、折部を切断すれば、折部にかかるストレスを除去でき、基板とカバーとの接着を強固かつ長期に行うことができる。
【００２８】
また、折部の切断は、ミシン目に沿って行うことが好ましい。切断方法は、また、折り曲げ後、ミシン目に沿って、メスなどで切断する方法が挙げられる。
【００２９】
また、本発明に係るバイオセンサの製造方法は、前記板部材の折り曲げ工程、および、基板又はカバーの圧縮、変性加工、折部への硬化剤もしくは熱収縮剤または固定具の装着により、基板とカバーとを固定化する工程（固定化工程）を含むことが好ましい。
【００３０】
また、圧縮、変性加工、硬化剤もしくは熱収縮剤または固定具の装着は、１種単独でまたは複数を組み合わせて適用してもよい。
【００３１】
本発明に係るバイオセンサの製造方法は、１枚の板部材を折り曲げて、基板とカバーとを形成させてバイオセンサとする工程を含むため、折り曲げた直後は、板部材の折り曲げられた部位（折部）が復元して、基板又はカバーが反り返ることがある。このため、前記固定化工程を含むことにより、基板又はカバーの反り返りを防止することができる。
【００３２】
固定化方法としては、基板又はカバーの圧縮、変性加工、硬化剤もしくは熱収縮剤または固定具の装着が挙げられる。
【００３３】
<圧縮>
圧縮とは、前記バイオセンサの少なくとも一部を圧着する方法である。基板又はカバーにかける圧力は、均一であって、バイオセンサを破壊しない程度の大きさであればよい。
【００３４】
<変性加工>
変性加工は、バイオセンサの構成部材の物性あるいはバイオセンサの構成部材に付加した材料の物性を、熱、光、化学薬品などにより変性させる加工方法を意味する。変性加工により、折部にかかる反り返りの応力を除去あるいは低減し、基板又はカバーの反り返りを防止することができる。
以下、本発明で用いることができる変性加工方法を（１）〜（４）に示す。
【００３５】
（１）熱または熱圧着による変性加工
[１]前記バイオセンサの折部もしくは折部とその周囲、またはバイオセンサの他の一部を加熱または熱圧着する方法。
このような加熱による変性によれば、たとえば、折り曲げ後の板部材の折り曲げ部位（折部）、または折部とその周囲を、該折部の形状に型取った鋳型を使用して過熱することで該折部の部材自体を変性させ、反り返しの力を除去することができる。また、鋳型を使用する代わりに、熱線を使用して該折部を変性することもできる。
【００３６】
また、「バイオセンサの他の一部」は、基板及びカバー表面上で、その直下に試薬層の存在しない表面であることが好ましい。加熱方法は、試薬層の存在しない位置に前記鋳型、熱線によって熱を与え、部材を変性させることが好ましい。
熱圧着の方法も、加熱の場合と同様の部位に、加熱した型をバイオセンサの基板表面の上または下、または両方から押しつけることにより実施することが好ましい。
加熱または熱圧着の温度は、板部材の材質にもよるが、通常、好ましくは５０〜３００℃、さらに好ましくは５０〜１５０℃の範囲である。
【００３７】
[２]バイオセンサの接着剤層が熱硬化性樹脂を含み、前記変性加工が、前記バイオセンサの折部もしくは折部とその周囲、またはバイオセンサの他の一部を加熱または熱圧着して、前記接着剤層の全部又は一部を硬化させる方法。
本発明に係るバイオセンサが、接着剤層を有している場合において、該接着剤層に熱硬化性樹脂を混合させるか、あるいは、熱硬化性樹脂自体を接着剤とし、板部材を折り曲げてバイオセンサを形成させた後、上記のような加熱または熱圧着を行う。
【００３８】
この場合、熱硬化性樹脂としては、たとえば、エポキシ樹脂、尿素樹脂、メラミン樹脂、フェノール樹脂、アクリル性樹脂などが挙げられ、これらのうちアクリル性樹脂を好ましく用いることができる。エポキシ樹脂の場合、接着剤自体として用いることもできる。
熱硬化性樹脂とともに、架橋剤、重合開始剤などを適宜含めることができる。
【００３９】
（２）光による変性加工
[１]バイオセンサの板部材が光透過性の材料からなり、前記接着剤層が光硬化性樹脂を含み、前記変性加工が、該バイオセンサに光を照射して、前記接着剤層を硬化させる方法。
本発明に係るバイオセンサが接着剤層を有する場合において、該接着剤層に光硬化性樹脂を混合させるか、あるいは、光硬化性樹脂自体を接着剤層とし、板部材を折り曲げてバイオセンサを形成させた後、接着剤層に光を照射して、光硬化性樹脂を硬化させる。この場合、前記基板及びカバーを構成する板部材は、光透過性の材料であることが必要である。光透過性の材料としては、たとえば、塩化ビニル、ポリカーボネート、ポリエステル、ポリエチレンテレフタレートなどが挙げられる。光照射は、折り曲げ後の折部を中心に行うことが好ましい。
【００４０】
前記光硬化性樹脂としては、紫外線硬化性エポキシ樹脂、紫外線硬化性アクリル樹脂、紫外線硬化性シリコーン樹脂、紫外線硬化性シリコーンゲル、光遅延硬化性樹脂、可視光硬化性歯科用レジン、可視光硬化性アクリル樹脂などが挙げられる。紫外線硬化性アクリル樹脂、光遅延硬化性樹脂、可視光線硬化性アクリル樹脂の場合、接着剤自体として用いることもできる。
【００４１】
また、光硬化性樹脂とともに、架橋剤、重合開始剤などを適宜含めることができる。
照射する光は、光硬化性樹脂の種類により異なるが、たとえば、紫外線硬化性樹脂を用いる場合は紫外線を、可視光線硬化性樹脂を用いる場合は可視光を用いることができる。このような光照射は、紫外線の場合、重水素ランプ、高圧水銀ランプ、低圧水銀ランプ、メタルハライドランプ、無電極紫外線ランプを用いることができ、可視光線の場合、ハロゲンランプ、キセノンランプ、メタルハライドランプ、白熱電球（タングステンランプ）、蛍光灯、発光ダイオード、有機発光素子などを用いることができる。
光を透過する板部材の種類は、用いる光の種類により異なるが、たとえば、塩化ビニル、ポリカーボネート、ポリエステル、ポリエチレンテレフタレートなどが挙げられる。
【００４２】
（３）板部材自体が熱又は光変性材である場合
[１]前記バイオセンサの板部材が熱硬化性樹脂を含み、前記変性加工が、該板部材の全部又は一部を加熱して硬化させる方法。
[２]前記バイオセンサの板部材が光硬化性樹脂を含み、前記変性加工が、該板部材を光照射して硬化させる方法。
【００４３】
また、板部材自体が熱硬化性樹脂あるいは光硬化性樹脂であるものを用いることもできる。板部材が熱硬化性樹脂からなる場合、バイオセンサを折り曲げて形成させた後、上記（１）[１]で示したように、折部もしくは折部とその周囲、またはバイオセンサの他の一部を加熱または熱圧着を行う。熱硬化性樹脂は、前記と同様のものを用いることができる。
【００４４】
板部材が光硬化性樹脂からなる場合、バイオセンサを折り曲げて形成させた後、上記（２）[１]で示したのと同様の方法で光照射を行う。光硬化性樹脂は、前記と同様のものを用いることができる。
【００４５】
（４）折部への溶媒の滲入
[１]バイオセンサの折部または折り部とその周囲の表面に溶媒を塗布して該折部に溶媒を滲入させる方法。
【００４６】
この場合は、折部または折部とその周辺に溶媒を塗布し、該溶媒を板部材に滲入させて板部材に留まる反り返りの力を除去または低減することができる。
溶媒としては、板部材に滲入できるものであればよく、板部材の材質によるが、有機溶媒が好ましい。たとえば、板部材と有機溶媒の好ましい組み合わせとして下記のものが挙げられる。
ポリ四フッ化エチレン    エーテル 
ポリエチレン    アミルベンゼン 
ポリイソブチレン    キシレン 
ポリスチレン    塩化メチル 
塩化ゴム    塩化メチレン 
酢酸ビニル樹脂    塩化エチレン 
メタクリル酸メチル    ジオキサン 
塩化ビニル樹脂    シクロヘキサン 
エポキシ樹脂    アセトン 
アセチルセルロース    イソプロピルアルコール 
ニトロセルロース    ジメチルホルムアミド 
フェノール樹脂    ニトロメタン 
【００４７】
以上のように、本発明に係るバイオセンサは、上記の方法により変性加工されていることが好ましい。
【００４８】
<硬化剤または熱収縮剤の塗布>
折部への硬化剤または熱収縮剤の塗布は、バイオセンサの構成部材のうち、折部などに硬化剤または熱収縮剤を塗布し、硬化剤を硬化あるいは熱収縮剤を半硬化させる方法であり、折部にかかる反り返りの応力を押さえ込み、基板又はカバーの反り返りを防止することができる。
（１）折部を固化剤（熱硬化性樹脂または光硬化性樹脂）または熱収縮剤で覆う方法
[１]前記バイオセンサの折部、または折部とその周囲に、熱硬化性樹脂を塗布し、さらに該熱硬化性樹脂を加熱して、前記熱硬化性樹脂を硬化させる方法。
[２]前記バイオセンサの折部、または折部とその周囲に、光硬化性樹脂を塗布し、さらに該光硬化性樹脂を光照射して、前記光硬化性樹脂を硬化させる方法。
[３]前記バイオセンサの折部、または折部とその周囲に、熱収縮剤を塗布し、さらに熱収縮剤を加熱して、該熱収縮剤を半硬化する方法。
前記塗布は、折部または折部とその周囲の外部表面に均一に行うことが好ましい。
【００４９】
この場合は、折部または折部とその周辺に前記熱硬化性樹脂または前記光硬化性樹脂を塗布し、上記と同様にして、折部に付着した樹脂に対して加熱又は光照射して、該樹脂を硬化させる。
あるいは、折部または折部とその周辺に前記熱収縮剤を塗布し、上記と同様にして、折部に付着した熱収縮剤を加熱し、熱収縮剤を半硬化する。熱収縮剤としては、たとえば、ポリオレフィン、フッ素樹脂、ポリエチレンなどが挙げられる。
このようにして、折部を基点とした基板又はカバーの反り返りを防止することができる。
【００５０】
<固定具>
固定具の装着による固定化方法としては、たとえば、挟み加工、囲み加工、キャップ（蓋）の装着、弾性体による締め付け具の装着、熱収縮剤による加工、粘着テープの装着が挙げられる。
【００５１】
挟み加工とは、バイオセンサーの少なくとも1部をクリップなどの物を挟んで押さえつける止め具を用いる方法を意味する。
【００５２】
囲み加工とは、バイオセンサーの少なくとも1部を形の定まった固定具を使用して囲う加工方法を意味する。
【００５３】
キャップを装着する場合は、前記バイオセンサの折部端部に装着することが好ましい。キャップの材質は以下に示す弾性体、熱光硬化剤、光硬化剤、熱収縮剤などが挙げられる。
【００５４】
弾性体による締め付け具のうち、弾性体としては、たとえば、天然ゴム、合成ゴム（ブチルゴムなど）、シリコーンなどが挙げられる。
【００５５】
熱収縮剤としては、たとえば、ポリオレフィン、フッ素樹脂、ポリエチレンなどが挙げられる。
前記固定化方法の実施に際しては、たとえば、固定具の内側（たとえば、弾性材、熱収縮剤等の内側のセンサーと接触する部分）に、アクリル系接着剤などの接着剤が塗布されていることがより好ましい。これにより、固定がさらに確実となり、基板又はカバーの反り返りをより確実に防止できる。
【００５６】
粘着テープとしては、たとえば、セロハンテープ、ポリプロピレンテープ、アセテートテープ、カプトン（ポリイミド）テープ、金属テープ（アルミ、銅など）、紙テープ、不織布テープなどが挙げられる。これらのテープの粘着剤には一般的にアクリル系粘着剤を用いることが好ましい。
【００５７】
このような固定化方法により、本発明のバイオセンサは、基板とカバーとの反り返りを防止する固定具を有していてもよい。
【発明の効果】
【００５８】
以上の説明から明らかなように、一枚の電気絶縁性の平面基板を折り加工または曲げ加工または折り曲げ加工することでバイオセンサとすることにより生産性、経済性に優れ、かつ環境負荷の少ないバイオセンサの製造が可能となる。また、本バイオセンサでの測定においては毛細管現象を利用して、バイオセンサの構造内に試料液を定量的に導入することで、精度の高い測定が可能で、シンプルな製造工程により、再現性に優れたバイオセンサを実現することができる。
【００５９】
また、本発明に係るバイオセンサの製造方法は、一枚の板部材を折り曲げて製造するので、極めて簡便にバイオセンサを得ることができる。さらに、折り曲げた板部材を固定化する工程を有すると、バイオセンサの反り返しを防ぐことができる。
【００６０】
あるいは、本発明に係るバイオセンサの製造方法は、折り曲げた板部材を切断する工程を有することにより、バイオセンサの反り返しを防ぐこともできる。
【発明を実施するための最良の形態】
【００６１】
以下、本発明の実施の形態を図面を用いて説明する。図２には、本発明のバイオセンサの代表的構造を示し、aに折曲げ型のバイオセンサを、ｂに筒型のバイオセンサの例を示す。
【００６２】
図２ａ左にはバイオセンサの展開図を示す。本バイオセンサは表面が平らな板部材１から構成される。なお、ここで「表面が平ら」とは人工的に型や切削、接着、エッチングなどで形成された凹凸がないことを意味する。この板部材１には、折曲げ加工を容易にするためのミシン目９が設けられている。板部材１はこのミシン目９を挟んで上部が後述する折曲げ加工後に基板となる基板部1aと、下部が折曲げ加工後にカバーとして機能するカバー部１ｂとからなる。
【００６３】
この板部材１の基板部1aの表面には電極を含むパターン４が形成されている。この電極のパターン４は、図面下端側がＬ字状に折れ曲がり、このＬ字状の部分は後述する試薬搬送路８と直交する。また、この電極のパターン４のＬ字状の部分に、必要に応じて試薬層１１を設けることができる。
【００６４】
一方、カバー部１ｂの表面には接着剤層１０が設けられている。この接着剤層１０は折曲げ加工後の基板部１aと、カバー部１ｂとの表面を接着固定する役割以外に、試料搬送路８を規定する役割を持っている。そのため、接着剤層１０は試料搬送路８となる中央部分を除いて、カバー部１ｂの両側に設けられている。また、この試料搬送路８とミシン目９が交わる所には試料搬送路８へ試料６を注入するための試料導入口７が形成されている。このように板部材１に電極４、試料搬送路８を規定する接着剤層１０、さらに試料導入口７が形成された後、ミシン目９を折り曲げることにより、図２ａ右に示すようなバイオセンサが製造される。製造時の空気の抜け口として試料導入口の反対（空気排出口）が機能する。試薬層１１は、上述したように電極上に設けることもできるが、カバー部１ｂ上に設けることもできる。
【００６５】
このバイオセンサを検査等に使用する場合には、下端に形成された試料導入口８を試料６に接触させて、試料６を吸い上げる。吸い上げられた試料６は試料搬送路８を通過する際に試薬層１１に接触し、試薬は試料中の目的成分と反応し、反応により生じた電位、電流などの電気化学的変化を電極で検知する。試薬層がない場合は、電極のみで目的成分を検知する。
【００６６】
上記バイオセンサの構成によれば、１回の折り返しで製造ができるため、従来のセンサにみられる積層時の煩雑な位置あわせが不要となり、製造工程の簡略化を行えるだけでなく、製品の歩留まりを向上させることができる。
【００６７】
折り曲げ型のバイオセンサの他の実施形態を、図３から図１６に示す。図２では試料搬送路が板部材１の縦方向に設けられていたが、図３では、カバー部１ｂには接着剤層１０が上下に分断して形成され、それに伴って試料搬送路７は板部材１を横断するように形成される。このように試料搬送路７が横手方向に伸びているため、電極パターン４は図２aに示すような先端をＬ字状に折り曲げる必要はなく、平行に延びる２本の電極のパターンとして設けられる。こうして電極と接着剤層が形成された板部材１をミシン目９で折り曲げることにより、試料搬送路８が形成され、その一旦に試料導入口７が形成される。この構成の場合には、図２のように試料導入口を板部材１に加工して形成する必要がないため、さらに製造工程を簡略化することができる。
【００６８】
図２、３のように試料導入口は必ずしも、上下、側面などの端部に設ける必要はない。例えば図４に示すように試料導入口７を試料搬送路８の途中に形成することもできる。詳細には、試料導入口７は図２ａに示すようなミシン目９の上ではなく、カバー部１ｂの試料搬送路８上に形成することもできる。この構成の場合には、図４右手に示すように、試料導入口８がカバー面に形成される。
【００６９】
また板部材における基板部とカバー部との配置は、図２ａ、３、４に示すような上下である必要はなく、図１０のように左右に配置してもよい。図１０は図３の応用例であるが、図１０のように左右に基板部とカバー部と配置した場合には、試料導入口７から注入された試料６を排出するための空気排出口１３を設ける必要がある。
【００７０】
上記電極は、板部材１の基板部１ａ側に設置する場合だけでなく、カバー部１ｂ側に設置してもよい。さらに、図５に示すように、基板部１ａとカバー部１ｂとにそれぞれ電極を固定した対面配置構造とすることもできる。図５に示すバイオセンサの場合には、図右に示すように下端部が三角形状に形成され、下端の先細り部分が試料導入口として機能する。試料導入口から吸い上げられた試料は接着剤層１０が設けられていない三角形上の試料導入路全体に広がり、対面構造を形成している電極間に収容されて測定が行われる。
対面電極型の他の例を図６，７，８，９，図１４ｂ、ｆ、図１５ａ、ｂ、ｃ、ｄ、ｅ、ｆ、ｇに示す。ここで図６は、電極が板部材１の基板部１ａとカバー部１ｂとにそれぞれ固定され、対面構造を形成している。そして、この電極に直交するように接着剤層１０に規定された試料搬送路８が形成されている。図７は、図６と電極の配置は同じであるが、試料導入口７がミシン目９の上に設けられ、この試料導入口７から電極パターン４に沿って接着剤層１０に規定された試料搬送路８が形成されている。図８も電極が対面構造をとるバイオセンサの例であり、この例では試料導入口７の近傍のわずかな電極部分を残して接着剤層１０が設けられている。図８のバイオセンサの場合には、試料導入口から注入された試料６を対面構造の電極の端部に接触させて測定が行われる。図９は、カバー部あるいは基板部のいずれか一方の電極上にコの字形状の接着剤層１０が設けられ、このコの字状の窪みからセンサ端部方向に電極に沿って試料搬送路７が形成されている。また、カバー部あるいは基板部の他方には、前記コの字形状の窪みに対向する位置に試料導入口７が形成されている。図９の構成では、図面右に示すように試料導入口７から注入された試料６は対面電極間に形成された試料搬送路８に送り込まれ、この際に測定が行われる。
【００７１】
また電極は上述までは作用極と対極からなる２極の電極でセンサ単位を構成された例を示したが、電極は２極である必要はなく、作用極、対極、参照極からなる３極でセンサ単位を構成することもできる。この３極の電極を備えた例を図１４（ｅ）から（ｇ）および図１５（ｅ）から（ｇ）に示す。センサのサイズを小型化するためには、作用極と対極の２極からなるセンサ単位が好ましい。一方、測定の信頼性を高めるためには、参照極を加えた３極からなるセンサ単位を採用することが好ましい。２極、３極のいずれの場合にも電極の幅、配置は任意である。また、３極の場合に電極の配置は並列配置（図１４（ｅ）（ｇ）など）、対面配置（図１４（ｆ）、図１５（ｅ）から（ｇ））のいずれでもよい。
【００７２】
また、板部材１にミシン目を備えた好適な例を取り上げて説明したが、折り曲げ加工を容易にする構成としては、ミシン目に限らず、図１１（ａ）に示すような三角形状の溝や（ｂ）に示す扇型の溝（ｃ）を板部材１の裏面に設けることもできる。
【００７３】
図１２、１３、１５（ｂ）および（ｆ）に示すようにセンサの先端（いずれの図面も組み立て後の構成において下端側に示す）に試料導入口がある場合には、人体への接触を配慮して曲面を有する形状に成形することができる。
【００７４】
本バイオセンサは上述した折り曲げ加工された積層型に限らず、一枚の板部材を曲げ加工して形成される筒型であってもよい。代表的な構成例を図２ｂに示す。すなわち、一枚の電気絶縁性の板部材１の表面に電極のパターン４が形成され、一側端に接着剤層１０が設けられている。この状態で一回曲げ加工して接着剤層を他側端の裏面に貼り付けることにより、筒型センサが簡易に構成される。この筒型センサの場合には、筒の端部が試料導入口および排出口として機能するため、板部材にあらかじめ試料導入口などを形成するような工程を省略することができる。筒型センサの他の例を図１６から図１８に示す。図１６は円筒型センサ、図１７は断面三角形状の筒型センサ、図１８は断面四角形状を有する筒型センサの例を示すが、これらに限定されるものではなく、断面が楕円、半円、扇、三日月または多角形の筒構造のセンサとしてもよい。また筒型センサの場合にも、電極は２極であっても、３極であってもよく、任意にいずれかを選択することができる。また、電極の配置は並列、対面いずれであってもよい。なお、３極の電極を備えた筒型バイオセンサの例としては図１６ｅ、ｆ、ｇ、ｈ、図１７ｅ、ｆ、ｇ、ｈ、図１８ｅ、ｆ、ｇ、ｈに示す構成が挙げられる。また、筒状構造の場合、立体加工したセンサの形状を維持する方法としては、センサパターンの電極と平行した側面またはその側面から糊代部分を延ばし、そこに接着剤を塗布して、立体加工時に所定の位置で貼り付けることでセンサの立体的な形状を維持することができる。接着剤の代わりに、両面接着テープを使用することもできる。
【００７５】
上述した図面において試薬層は必ずしも図示されていないが、図示されていない図面においても試薬層は必要に応じて設けることができる。例えば、電極にニッケル電極を用いた場合には、試薬層がなくてもタンパク質を検知するたんぱく質センサ（ＵＳ  ５６５３８６４）として用いることができる。また白金電極を用いた場合には本センサを導電率センサ、過酸化水素センサ、更に酸素透過膜、電解質を併用すれば酸素センサとして利用することができる。一方、試薬層を用いれば酵素とメデイエータを用いた血糖センサ、尿糖センサ、糖化ヘモグロビンセンサ（特開２００１−２０４４９４）、乳酸センサ、尿酸センサ、コレステロールセンサ、アルコールセンサ、グルタミン酸センサ、ピルビン酸センサ、銀／塩化銀電極とキンヒドロン、無機塩を用いたｐＨセンサ（特開平９−２２２４１４）、ｐＨセンサとプライマー、ＤＮＡポリメラーゼなどを用いた一塩基多型センサ、固定化核酸プローブを用いたＤＮＡチップなどの各種バイオセンサを製造でき、各種の化学的、物理的状態を検出するセンサとして応用することができる。なお試薬層は、試料搬送路が通過している電極上または電極周辺に形成される。
【００７６】
試料導入口の周辺及び試料搬送路表面には試料が導入しやすいように、界面活性剤、脂質を塗布することも可能である。
【００７７】
以下、上述した実施の形態にかかるバイオセンサの材料、製法、応用などついて詳細に説明する。
【００７８】
板部材としてポリエチレンテレフタレートなどのプラスチック、ポリ乳酸などの生分解性材料、紙などを使用することができる。
【００７９】
本センサで使用する電極材料として白金や金、銀／塩化銀、銀、銅、パラジウム、イリジウム、鉛、ニッケル，チタン、酸化錫、白金黒などの金属類が挙げられる。これらは導電性に優れると共に、蒸着法，スパッタリング法，メッキ法，ＣＶＤ法，塗布乾燥などでの形成ができる。また、カーボン粉末は、白金、金に比べると若干導電性に劣るものの、ペースト状となし、基板に塗布等することにより、銀粉末と同様、スクリーン印刷法などにより簡単に電極を形成することができる。さらには、白金や金などの微粒子状物質などもペースト状にして印刷により加工ができる。
【００８０】
カーボン材料としてカーボンナノチューブ、カーボンマイクロコイル、カーボンナノホーン、フラーレン、デンドリマーおよびそれらの誘導体なども用いることができる。これらはその独特の特性（構造、導電性など）から分子識別素子の固定化、電極材料に適している。
【００８１】
タンパク質センサの場合、ニッケルを電極材料とすることが好ましい。ニッケルは所定の条件によりタンパク質のアミノ基を酸化し、タンパク質センサとなる。ＦＩＡ（フローインジェクションアナリシス）化も可能である。
【００８２】
接着剤層はスクリーン印刷法により形成することが好ましい。両面接着テープでも可能である。ここで、接着剤としては、たとえば、ボンド、粘着剤などが挙げられる。
【００８３】
また接着剤層中に試薬を含ませ、スクリーン印刷法により接着剤層、試薬層を同時形成することも可能である。
【００８４】
試薬層の形成は、試薬を水溶液として、デスペンサなどにより滴下し、乾燥する方法が好ましい。また粘度を調節し、スクリーン印刷法による形成も可能である。
【００８５】
試薬層が１種の場合は検知する物質はひとつであるが、同時に、例えば２種類の物質を検知する場合は、図１９，２０，２１に示したように、異なる試薬層を一枚の電気絶縁性平面基板上に形成することもできる（特開平１−２９１１５３）。この場合、図に示したように、試薬層の中間に互いの溶解した試薬層の混合を防ぐために、凸部（１２）をカーボン、レジスト、吸水性材料などでスクリーン印刷法などによって形成することも可能である。この場合、凸部の初期の厚みは接着剤層より薄くし、かつ折り曲げた場合、凸部の上部、左右は空いていなければならない。これは試料の通過を促すためである。吸水性材料の場合は、試料通過後、膨潤により互いの溶解試薬が混合しない機能を持つ。また電極が４本（図１９，２０，２１のａ，ｂ）でなく、３本で構成される場合は、たとえば真中の１本を共通対極として使用することもできる（図１９，２０，２１のｃ、ｄ）。
【００８６】
試薬と電極表面もしくは基板との結合は乾燥後の吸着法、共有結合法により実施することができる。
【００８７】
上記試薬としては酵素、抗体、核酸、プライマー、ペプチド核酸、核酸プローブ、微生物、オルガネラ、レセプタ、細胞組織、クラウンエーテルなどの分子識別素子、メデイエータ、挿入剤、補酵素、抗体標識物質、基質、無機塩類、界面活性剤、脂質などが用いられる。
【００８８】
例えば、酵素センサでは、検体の測定対象によって分子識別素子としての酵素の種類を変える。例えば測定対象が血糖（グルコース）、尿糖の場合はグルコースオキシターゼまたはグルコースデヒドロゲナーゼ、測定対象が糖化ヘモグロビンである場合は、フルクトシルアミンオキシダーゼとプロテアーゼの混合物、測定対象が乳酸の場合は乳酸オキシターゼ、測定対象が総コレステロールなどの場合はコレステロールエステラーゼとコレステロールオキシダーゼの混合物、測定対象が尿酸の場合は尿酸オキシダーゼ、測定対象がエタノールの場合はアルコールオキシターゼ、測定対象がグルタミン酸の場合はグルタミン酸オキシダーゼ、測定対象がピルビン酸の場合はピルビン酸オキシダーゼなどを用いる。
【００８９】
上記酵素センサでは、酵素とともに電子伝達体（メディエータ）が使用される。メディエータにはフェリシアン化カリウム、フェロセン、フェロセン誘導体、ニコチンアミド誘導体、フラビン誘導体、ベンゾキノンおよびキノン誘導体などを用いる。
【００９０】
ｐＨセンサの場合は、銀／塩化銀電極と他の電極を設けた基板上に塩化ナトリウム、塩化カリウムなどの無機塩とキンヒドロンの試薬層を用いる。この場合、電極間電位の変化を測定することになる。
【００９１】
一塩基多型（ＳＮＰｓ）センサ(A.Ahmadian  et  al.,Biotechniques,32,748,2002)の場合は、上記ｐＨセンサ上に、更にプライマー、ＤＮＡポリメラーゼ、デオキシリボヌクレオチド三リン酸などの混合物を試薬として用い、試料中の被検体ＤＮＡとプライマーが相補する場合のｐＨの変化を測定する。
【００９２】
免疫センサでは、抗原抗体反応を利用し、例えばヒト血清アルブミンを測定する場合は、分子識別素子として抗アルブミンを用いる。なお、免疫センサにおいては、抗原抗体複合体の形成によって変動する電極間電位を測定することになる。
【００９３】
微生物センサでは、分子識別素子として、例えばPseudomonas  fluorescence（測定対象；グルコース）、Trichosporon  brassicae（測定対象；エタノール）などの微生物を用いる。これらの微生物は、酸素呼吸（好気性）し、あるいは酸素のない環境で代謝物を生成するので、酸素呼吸量または代謝産物を電気的にとらえることになる。
【００９４】
オルガネラセンサでは、分子識別素子として細胞小器官を用いる。例えばミトコンドリアの電子伝達粒子を用いると、ＮＡＤＨが測定できる。この原理としては、ミトコンドリアの電子伝達粒子によりＮＡＤＨが酸化され、この際酸素が消費されるので、この酸素を指標としてＮＡＤＨやＮＡＤＰＨを測定することができる。
【００９５】
レセプタセンサでは、分子識別素子として受容体である例えば細胞膜などを用いる。検体としては、ホルモンとか神経トランスミックが対象となる。測定原理としては、受容の変化を電位に変換し、電極を通じて測定することになる。
【００９６】
組織センサでは、分子識別素子として動植物の組織を用いる。動植物の組織としては、例えばカエルの皮膚とか、動物の肝切片、キウリ、バナナの皮などが使用できる。測定原理としては、例えばカエルの皮膚組織を用いたナトリウムセンサでは、カエルの皮膚組織がナトリウムイオンを選択的に透過し、その際皮膚組織の電位が変化するので、この電位変化を測定しナトリウムイオン量を求める。
【００９７】
ここで述べたバイオセンサの応用途のひとつとして他にＤＮＡチップ（特開平５−１９９８９８）が挙げられる。図２２に示すような電極のアレイ上（ＵＳ  ４２２５４１０）に検出すべき多種類の目的遺伝子に対して相補性を持つ一本鎖の核酸プローブが多種類固定化されている。１電極に１種の核酸プローブが固定化されている。多数の目的遺伝子の存在の有無を確認するには、一本鎖に変性された遺伝子サンプルと核酸プローブのハイブリダイズ処理を行い、その後、二本鎖核酸に特異的に結合し、かつ電気化学的に活性な二本鎖認識体を添加する。洗浄後、基板を緩衝液存在下で折りたたみ、アレイ電極を作用極、上部の大きな電極を対極として電圧を電極ごとに順次印加していくと、二本鎖が形成されている場合、二本鎖の挿入剤が酸化され、酸化電流が流れる。二本鎖の形成されていない電極では挿入剤に起因する電流は流れない。電流の発生した電極の位置で核酸プローブの種類がわかるので目的遺伝子の存在の有無、定性が可能となる。なお、上記二本鎖認識体としてはアクリジンオレンジなどのインターカレーター（挿入剤）、トリス（フェナントロリン）コバルト錯体などのメタロインターカレーターなどを用いることができる。
【００９８】
本発明に係るバイオセンサは、乾燥状態で保管されることが好ましく、乾燥剤とともに保存することが好ましい。乾燥剤としては、活性アルミナ、ゼオライト、シリカゲル、塩化カルシウムなどが挙げられる。
【００９９】
上述のようなバイオセンサを用いて測定する場合には、装置に上記バイオセンサを取り付け、バイオセンサに生じた電気的な値を測定する。この測定は、バイオセンサの電気的な値を計測する計測部と、計測された値を表示する表示部が備えられる。この計測部の計測方法としては、ポテンシャルステップクロノアンペロメトリーまたはクーロメトリー、ボルタンメトリー法などを用いることができる。また、この装置には計測値を保存するためのメモリを備えることもできる。また、測定値を遠隔的に管理する場合にはブルートゥースなどの無線手段を搭載してもよい。
【０１００】
図２４は、一枚の弾性板部材から折り加工して製造されるバイオセンサの固定化を、熱による変性加工によって行い、板部材の反り返りを防止する方法を示した図の一例である。
図２４aは、板部材を折り曲げれて製造されるバイオセンサ１０１の一例である。該バイオセンサは絶縁性の弾性を有した板部材１０２および板部材上の電極１０３、試料導入口１０４、折部１０５からなる。ここで、図示していないが、バイオセンサの上下の板部材１０２の間には試料導入口および反応検出部を形成するためのスペーサー層が存在している。該スペーサー層は接着剤層のみで形成されていても、板部材とその上下両面に接着剤層を設けたものであっても、どちらでもよい。
【０１０１】
ここで、折部１０５は、たとえば基板に施されたミシン目に沿って板部材が折り曲げ加工により成型されるときに形成される。
図２４b、ｃは、熱変性用の変性加工装置１０６（鋳型）の溝にバイオセンサの折部１０５を挿入することで、折部１０５または折部とその周囲が加熱され、変性加工された部分（１０７）となる例を示す。
【０１０２】
鋳型１０６には溝が必ず必要なわけではなく、平面を成す型（熱源）であってもよい。バイオセンサの折部端部（「折部端部」とは、試料導入口１０４および反応検出部の周囲を除く部分であって、折部１０５、または折部１０５とその周囲を含む、バイオセンサの折部が存在する端部領域を指す。）を型には接触せず、型からの熱により該折部端部を変性させてもよい。
ここで、酵素は加熱により失活する恐れがあるため、加熱の範囲はバイオセンサ１０１の折部１０５または折部とその周囲、または折り部と反対側のカバーの末端部分（カバー端部；「カバー端部」とは、試料導入口１０４および反応検出部の周囲を除く部分であって、折り部と反対側のカバーの端が存在する領域を指す。）の周囲とすることが好ましい。これにより、試料導入口や反応検出部は加熱の影響を受にくくなるように制御できる。
【０１０３】
図２５は、折部１０５または折部１０５とその周囲が、バイオセンサ１０１の折部端部およびその上下にある３本の変性加工装置（熱線）１０６により熱変性を受け、変性加工された部分１０７を有するバイオセンサを得る例を示す。この場合、熱線と接触してバイオセンサの該当部分を熱変性させても、または接触させずにその放射熱により該当部分を熱変性させてもよい。
上記と同様、熱線はバイオセンサ１０１内の酵素が熱の影響を受けない配置にすることが好ましい。
【０１０４】
図２６は、熱圧着による変性用の上下２つ一組の変性加工装置（型）１０６がバイオセンサ１０１の折部端部を熱圧着して板部材１０２とスペーサーの該当部分を硬化・変性させ、変性加工された部分１０７を有するバイオセンサを得る例を示している。
また、図２６では上下２つ一組の型１０６を使用しているが、上または下側の型のみを使用して熱変性を行い、反り返しの影響を軽減させてもよい。
上記と同様、バイオセンサ１０１内の酵素が熱の影響を受けないように型の配置を行うことが好ましい。
【０１０５】
図２７は、図２６と同様に熱圧着による変性用の上下２つ一組の型１０６がバイオセンサ１０１の折部を含む折部端部１０６周辺と、カバー端部１０９周辺の２箇所を熱圧着して板部材１０２とスペーサーの該当部分を硬化・変性させるものである。
また、図２７では上下２つ一組の型１０６を使用しているが、上または下側の型のみを使用して熱変性による反り返しの影響を軽減させてもよい。
上記と同様、バイオセンサ１０１内の酵素が熱の影響を受けないように型の配置を行うことが好ましい。
【０１０６】
図２８は、折り部１０５に光硬化性樹脂を有する基板１０２または光硬化性樹脂からなる板部材１０２で形成した折部１０５または折部１０５とその周囲が光を受けることで、光硬化性樹脂が光硬化を起こしている例を示す。
【０１０７】
図２９は、折部１０５または折部１０５とその周囲がバイオセンサ１０１の折部から変性加工装置１０６の溝の中に入っている化学試薬に浸漬することにより、変性を受ける例を示す。ここで使用する化学試薬としては、基板を溶解する有機溶媒が好適である。溶媒が折部に滲入し、反り返しの力（ストレス）を除去または低減することができる。
また、図２９の化学試薬が、熱硬化性樹脂または光硬化性樹脂の場合、加熱または光照射のなどの所定の工程を経ることにより、樹脂の硬化によって反り返りを押さえ込むことができる。
【０１０８】
図３０は、折部１０５または折部１０５とその周囲の側面が、化学試薬を湿らせた回転ローラーの表面と接することにより、変性される例を示す。
また、図３０の化学試薬が、熱硬化性樹脂または光硬化性樹脂の場合、加熱または光照射のなどの所定の工程を経ることにより、樹脂の硬化によって反り返りを押さえ込むことができる。この場合、回転ローラー型のヒーターあるいは光源に置き換えることにより熱硬化あるいは光硬化を起こさせることができる。
【０１０９】
図３１から図３６は、固定具としてクリップを使用し、バイオセンサの折部を有する末端を全体または部分的に挟むことで、基板またはカバーを固定化し、反り返しを防止する方法を示す。
【０１１０】
図３１は固定具としてバイオセンサ１０１の折部端部全体を挟んで固定できるサイズの固定具（クリップ）１０８を使用した固定方法の一例である。この場合に使用するクリップの材質には、挟み強度は折部を固定化し、反り返しを押さえ込めることができ、バイオセンサ本体に凹みなどによる過度の損傷または特に試料導入口や反応検出部などの形状の変化を防ぐことができればよい。たとえば、金属またはプラスチックなどが挙げられ、プラスチックが好適である。
【０１１１】
図３２は図３１とクリップのサイズ以外は同様である。この場合、固定具（クリップ）１０８は左右のバランスなどを考慮し、バイオセンサ１０１の折部端部の中央に挟むことが好適である。さらに、小さなクリップまたはヘアピンの様な幅の狭い固定具を使用してバイオセンサ１０１の折部端部を少なくとも一箇所挟んで固定し、反り返しを防いでもよい。
【０１１２】
図３３は固定具としてバイオセンサ１０１の折部端部の側面の片側からバイオセンサの幅全体を挟んで固定できるサイズの固定具（クリップ）１０８を使用した固定方法の一例である。
【０１１３】
図３４は固定具としてバイオセンサ１０１の折部端部の側面を２個の固定具（クリップ）１０８を使用して両側から挟んで固定できる固定方法の一例である。
【０１１４】
図３５はバイオセンサ１０１の折部端部側全体を固定具（キャップ）１０８で蓋をする固定方法の一例である。この場合に使用するキャップの材質は金属またはプラスチックなど特に限定はされないが、プラスチックが好適である。また、キャップの材料を熱収縮性材料に代えることで、バイオセンサの折部端部を適度な力で均一に固定させることができる。
【０１１５】
図３６は固定具としてバイオセンサ１０１の折部端部を固定具（枠）１０８で固定する方法の一例である。この場合に使用する枠の材質は金属またはプラスチックなど特に限定はされないが、プラスチックが好適である。
【０１１６】
図３７は固定具としてバイオセンサ１０１の折部端部を固定具（リング）１０８で固定する方法の一例である。この場合に使用するリングの材質は特に限定はされないが、プラスチックが好適である。特に、ゴムなどの伸縮性のあるリングの使用または熱収縮剤でできたリングを熱収縮処理して固定化したものが好適である。
【０１１７】
図３８は固定具としてバイオセンサ１０１の折部端部を固定具（チューブ状リング）１０８で固定する方法の一例である。この場合に使用するリングの材質は特に限定はされないが、プラスチックが好適である。特に、ゴムなどの伸縮性のあるリングの使用または熱収縮剤でできたリングを熱収縮処理して固定化したものが好適である。
【０１１８】
図３９は固定具としてバイオセンサ１０１の折部端部を固定具（粘着テープ）１０８で巻きつけ固定する方法の一例である。この場合に使用する粘着テープの材質は特に限定はされないが、プラスチックが好適である。さらに、ゴムなどの伸縮性のあるリングの使用または熱収縮剤でできたリングを熱収縮処理して固定化したものも好適である。
【実施例】
【０１１９】
以下，本発明の実施例を用いてより詳細に説明するが、本発明は本実施例に限定されるものではない。なお、実施例では、酵素センサとして、グルコースバイオセンサの例を示した。
【０１２０】
[実施例１]
図２ａは本発明の実施の形態によるグルコースセンサを示す図である。試薬層としてはグルコースオキシダーゼとフェリシアン化カリウムを用いる。この図２ａに示すグルコースセンサの測定原理は以下のようである。
【０１２１】
本センサは，毛細血管現象により試料を試料導入口から内部に導入する。導入されたグルコース溶液は，試薬層のＧＯＤの触媒作用により下記の式１に示すように、グルコースの酸化に伴いフェリシアンイオンがフェロシアンイオンに変換される。
【０１２２】
〔式１〕
GOD
グルコース+フェリシアンイオン → グルコノラクトン+フェロシアンイオン
【０１２３】
生成したフェロシアンイオンはカーボン電極で、次の式２の電極反応に従って酸化され、電気化学的に検出される。
【０１２４】
〔式２〕
電極
フェロシアンイオン → フェリシアンイオン＋e-
【０１２５】
本発明のグルコースセンサを用いた検出法では，生成したフェロシアンイオンはアノード電極により酸化され、アノード電流が発生し、フェロシアンイオンは再びフェリシアンイオンになる。以上により酵素反応より生成したフェロシアンイオン濃度の電流値変化を観測することでグルコースの定量が可能となる。
【０１２６】
次に製造方法および測定方法を説明する。
センサ基板として長さ６５ｍｍ，幅６ｍｍ、厚さ188μｍのＰＥＴを使用した。センサ基板上には幅１．３ｍｍのカーボン電極が２．６ｍｍの間隔を置いて２本，スクリーン印刷装置により形成された。接着剤もスクリーン印刷により接着剤層として形成した。折り曲げ部にはミシン目をいれた。試料量は０．５μｌとした。
【０１２７】
酵素およびメディエータの試薬層の形成方法は次のようである。グルコースオキシダーゼ（ＧＯＤ）およびフェリシアン化カリウム（メディエータ）は蒸留水に溶解して電極表面に塗布した。蒸留水１０μＬ中に４単位ＧＯＤ０．１ｍｇフェリシアン化カリウムが溶解している。このＧＯＤ溶液の3μlを、電極表面に塗布し、真空乾燥して、酵素・メデイエータよりなる試薬層を両電極上に形成した。
【０１２８】
このグルコースセンサを用いた血糖（血中グルコース）の測定を行った例について説明する。本グルコースセンサを用いた血糖の測定は検体試料液として、グルコース濃度が５０、１００、２００、３００、４００、５００  mg/dlとなるように調製したヘマトクリット値４０％の全血を使用した。測定法はポテンシャルステップクロアンペロメトリー法を用いた。毛細管現象で０．５μl血液を試料導入口に導入してから５秒後、センサ内の２つの電極間に９００ｍＶの電位を印加し、印加後５秒後の電流値を測定値とした。
【０１２９】
図２３は本発明のセンサの血中グルコース濃度による電流値変化を示している。図２３を参照すると，血中グルコース５０、１００、２００、３００、４００、５００  mg/dlの範囲において1〜２．５μＡの電流値変化が観測された。また１００mg/dlの全血で１０回測定を行ったところ測定値の再現性は変動係数で４．１％であった。
【０１３０】
[実施例２]
実施例１ではグルコースオキシダーゼとフェリシアン化カリウムからなる試薬層を電極上に形成し、評価した。実施例２では試薬層を電極上ではなく、カバー部に形成した。つまり図２ａで説明すると試薬層はカバー部に形成された接着剤層１０の間の試料搬送路８のカバー部分の一部に形成された。試薬層をカバー部に形成した以外はセンサ基板、酵素およびメディエータの試薬層の形成方法、測定条件は実施例１と同様に行った。結果として図２３とほぼ同様に，血中グルコース５０、１００、２００、３００、４００、５００ mg/dlの範囲において1〜3.0μＡの電流値変化が観測された。また１００mg/dlの全血で１０回測定を行ったところ測定値の再現性は変動係数で５．９％であった。
【図面の簡単な説明】
【０１３１】
【図１】従来のセンサ（特開平１−２９１１５３）の構造を示す。
【図２】本実施の形態のバイオセンサ代表例を示す。ａは折畳み型のバイオセンサの展開図（左）および構成図（右）を、ｂは筒型のバイオセンサの展開図（左）および構成図（左）を示す。
【図３】他の折り曲げ型（貼り合せ構造）のバイオセンサの展開図（左）および組み立て後の構成図（右）を示す。
【図４】他の折り曲げ型（貼り合せ構造）のバイオセンサの展開図（左）および組み立て後の構成図（右）を示す。
【図５】他の折り曲げ型（貼り合せ構造）の対面電極のバイオセンサの展開図（左）および組み立て後の構成図（右）を示す。
【図６】他の折り曲げ型（貼り合せ構造）で対面電極のバイオセンサの展開図（左）および組み立て後の構成図（右）を示す。
【図７】他の折り曲げ型（貼り合せ構造）の対面電極のバイオセンサの展開図（左）および組み立て後の構成図（右）を示す。
【図８】他の折り曲げ型（貼り合せ構造）の対面電極のバイオセンサの展開図（左）および組み立て後の構成図（右）を示す。
【図９】他の折り曲げ型（貼り合せ構造）の対面電極のバイオセンサの展開図（左）および組み立て後の構成図（右）を示す。
【図１０】他の折り曲げ型（貼り合せ構造）のバイオセンサの展開図（左）および組み立て後の構成図（右）を示す。
【図１１】折り曲げ部の構成を上部に示す展開図のＡ−Ａ’線で切断した際の断面図を用いて、（ａ）から（ｃ）に示す。
【図１２】先端が曲面を備えた折り曲げ型バイオセンサの展開図（左）および構成図（右）を示す。
【図１３】他の先端が曲面を備えた折り曲げ型バイオセンサの展開図（左）および構成図（右）を示す。
【図１４】他の折り曲げ型（貼り合せ構造）のバイオセンサを示し、(ａ）（ｃ）には並列電極の例を、（ｂ）には対面電極の例を、（ｅ）から（ｇ）には３極の電極を備えた例における、展開図（左）および組み立て後の構成図（右）を示す。
【図１５】他の折り曲げ型（貼り合せ構造）のバイオセンサの形態を示す。
【図１６】様々な円筒形のバイオセンサの形態を示し、（ａ）から（ｈ）までいずれも展開図（左）および組み立て後の構成図（右）を示す。
【図１７】様々な断面三角形の筒型バイオセンサの形態を示し、（ａ）から（ｈ）までいずれも展開図（左）および組み立て後の構成図（右）を示す。
【図１８】様々な断面四角形の筒型バイオセンサの形態を示し、（ａ）から（ｈ）までいずれも展開図（左）および組み立て後の構成図（右）を示す。
【図１９】（ａ）から（ｄ）にはそれぞれ多項目を測定し得るように試薬層が複数設けられた折り曲げ型のバイオセンサの展開図を示す。
【図２０】（ａ）から（ｄ）にはそれぞれ多項目を測定し得るように試薬層が複数設けられた折り曲げ型のバイオセンサの展開図を示す。
【図２１】（ａ）から（ｄ）にはそれぞれ多項目を測定し得るように試薬層が複数設けられた折り曲げ型のバイオセンサの展開図を示す。
【図２２】貼り合せ型バイオセンサをＤＮＡチップに応用する場合の例を示す。
【図２３】実施例の血糖検量線を示すグラフである。
【図２４】鋳型を使用してバイオセンサの折部を熱変性させる方法を示す。
【図２５】熱線を使用してバイオセンサの折部を熱変性させる方法を示す。
【図２６】バイオセンサの折部端部を熱圧着により変性させる方法を示す。
【図２７】バイオセンサの折部端部およびカバー端部の両方を熱圧着により変性させる方法を示す。
【図２８】光線を使用してバイオセンサの折部およびその周囲を光硬化させる方法を示す。
【図２９】化学試薬に浸漬し、化学処理によりバイオセンサの折部およびその周囲を硬化させる方法を示す。
【図３０】化学試薬を染み込ませたローラーに接触させ、バイオセンサの折部及びその周囲を化学処理により硬化させる方法を示す。
【図３１】クリップ（大）を使用してバイオセンサの折部端部を挟んで固定する方法を示す。
【図３２】クリップ（小）を使用してバイオセンサの折部端部を挟んで固定する方法を示す。
【図３３】クリップ（大）を使用してバイオセンサの折部端部を片側からで挟んで固定する方法を示す。
【図３４】２個のクリップ（小）を使用してバイオセンサの折部端部を両側から挟んで固定する方法を示す。
【図３５】キャップを使用してバイオセンサの折部端部に蓋をして固定する方法を示す。
【図３６】枠を使用してバイオセンサの折部端部を固定する方法を示す。
【図３７】リング状の伸縮材を使用してバイオセンサの折部端部を固定する方法を示す。
【図３８】チューブ状の伸縮材を使用してバイオセンサの折部端部を固定する方法を示す。
【図３９】粘着テープの巻きつけによりバイオセンサの折部端部を固定する方法を示す。
【符号の説明】
【０１３２】
１      基板
２      スペーサ
３      カバー
４      電極パターン
５      空気孔
６      試料液
７      試料導入口
８      試料搬送路
９      ミシン目
１０    接着剤層
１１    試薬層
１２    凸部
１３    空気排出口 
１０１      バイオセンサ
１０２      板部材
１０３      電極
１０４      試料導入口
１０５      折部
１０６      変性加工装置
１０７      変性加工後の部分
１０８      固定具
１０９      カバー端部
【図１】
2005233917.tif 000002
【図２】
2005233917.tif 000003
【図３】
2005233917.tif 000004
【図４】
2005233917.tif 000005
【図５】
2005233917.tif 000006
【図６】
2005233917.tif 000007
【図７】
2005233917.tif 000008
【図８】
2005233917.tif 000009
【図９】
2005233917.tif 000010
【図１０】
2005233917.tif 000011
【図１１】
2005233917.tif 000012
【図１２】
2005233917.tif 000013
【図１３】
2005233917.tif 000014
【図１４】
2005233917.tif 000015
【図１５】
2005233917.tif 000016
【図１６】
2005233917.tif 000017
【図１７】
2005233917.tif 000018
【図１８】
2005233917.tif 000019
【図１９】
2005233917.tif 000020
【図２０】
2005233917.tif 000021
【図２１】
2005233917.tif 000022
【図２２】
2005233917.tif 000023
【図２３】
2005233917.tif 000024
【図２４】
2005233917.tif 000025
【図２５】
2005233917.tif 000026
【図２６】
2005233917.tif 000027
【図２７】
2005233917.tif 000028
【図２８】
2005233917.tif 000029
【図２９】
2005233917.tif 000030
【図３０】
2005233917.tif 000031
【図３１】
2005233917.tif 000032
【図３２】
2005233917.tif 000033
【図３３】
2005233917.tif 000034
【図３４】
2005233917.tif 000035
【図３５】
2005233917.tif 000036
【図３６】
2005233917.tif 000037
【図３７】
2005233917.tif 000038
【図３８】
2005233917.tif 000039
【図３９】
2005233917.tif 000040